(57)【要約】【課題】低コストで伝送容量増を図ることのできる光伝送装置を得る。【解決手段】送信側の電気多重部１０３ａは、ＣＰＲＩ信号送受信器１０１に入力されたＣＰＲＩ  ＯＰ３信号を３セクタ分時分割多重し、かつ、３セクタ分を収容する独自のフレームフォーマットの信号を生成する。光信号送信部１０４ａは、電気多重部１０３ａから出力された電気信号を光信号に変換する。受信側の光信号受信部１０４ｂでは、受信した光信号を電気信号に変換する。電気分離部１０３ｂでは、３セクタのＣＰＲＩ  ＯＰ３信号を取り出し、ＣＰＲＩ信号送受信器１０１は、光信号のＣＰＲＩ信号に変換する。【選択図】図１
2015080022.tif 000002
【特許請求の範囲】
【請求項１】
基地局とアンテナ設置局間のＣＰＲＩ伝送を行う光伝送装置であって、
ＣＰＲＩ  ＯＰ３信号を３セクタ分電気信号として時分割多重すると共に、当該３セクタ分を収容するフレームフォーマットの信号を生成する信号多重部と、
前記信号多重部から出力された電気信号を光信号に変換する光信号送信部と、
前記フレームフォーマットの光信号を受信し、電気信号に変換する光信号受信部と、
前記光信号受信部で変換された電気信号から３セクタのＣＰＲＩ  ＯＰ３信号を取り出す信号分離部とを備えたことを特徴とする光伝送装置。
【請求項２】
基地局とアンテナ設置局間のＣＰＲＩ伝送を行う光伝送装置であって、
ＣＰＲＩ  ＯＰ３信号を３セクタ分電気信号として時分割多重すると共に、当該３セクタ分を収容するフレームフォーマットの信号を生成する信号多重部と、
前記信号多重部で生成された信号に対して誤り訂正符号を付与する誤り訂正符号挿入部と、
前記誤り訂正符号挿入部から出力された電気信号を光信号に変換する光信号送信部と、
前記フレームフォーマットの光信号を受信し、電気信号に変換する光信号受信部と、
前記光信号受信部から出力された信号に対し、前記誤り訂正符号に基づいて誤り訂正を行う誤り訂正符号分離部と、
前記誤り訂正符号分離部から出力された電気信号から３セクタのＣＰＲＩ  ＯＰ３信号を取り出す信号分離部とを備えたことを特徴とする光伝送装置。
【請求項３】
前記信号多重部は、周波数同期されたＣＰＲＩ信号を一時的に蓄積するバッファと、当該バッファからの信号を多重する電気多重部を備えたことを特徴とする請求項１または請求項２記載の光伝送装置。
【請求項４】
前記信号多重部で用いる多重クロックの基準を選択する送信クロック源選択部を備えたことを特徴とする請求項１から請求項３のうちのいずれか１項記載の光伝送装置。
【発明の詳細な説明】
【技術分野】
【０００１】
この発明は、モバイルアクセスネットワークで利用されるＣＰＲＩ（登録商標）信号の伝送を行う光伝送装置に関するものであり、特に、ダークファイバを用いた個別線による伝送方式において、使用するダークファイバ数を削減可能とする多重方式に関するものである。
【背景技術】
【０００２】
モバイル通信事業においては、無線通信の広帯域化に伴う通信量の増大に対応するため、さまざまな対策を実施している。具体的には使用周波数帯域の増加、基地局の小セル化等による対応を進めている。それに伴い基地局（ＢＢＵ：ＢＡＳＥ−ＢＡＮＤ  ＵＮＩＴ）、アンテナ設置局（ＲＲＨ：ＲＥＲＯＴＥ  ＲＡＤＩＯ  ＨＥＡＤ）間の伝送容量も増大している。一般的に、このようなシステムでは、その伝送インタフェースとして、例えば非特許文献１に示すＣＰＲＩインタフェースを採用し、加入者光ファイバを用いて伝送を行っている。
【０００３】
一方、伝送容量の増大に伴い、使用される加入者光ファイバも需要の著しい増加による枯渇のリスクがある。このような観点から、効率的な加入者光ファイバの使用を図るため、例えば特許文献１に示すような汎用フレームフォーマットを用いた時分割多重による効率化が検討されている。
【先行技術文献】
【特許文献】
【０００４】
【特許文献１】特表２００７−５３３１７９号公報
【非特許文献】
【０００５】
【非特許文献１】CPRI Specification V4.0、Common Public Radio Interface (CPRI); Interface Specification、2008年6月30日発行
【発明の概要】
【発明が解決しようとする課題】
【０００６】
しかしながら、基地局、アンテナ設置局間の伝送容量も増加の一途をたどっており、当該信号の経済的な伝送が求められている。使用する加入者光ファイバ数の削減のためには、時分割／波長多重を用いたファイバ１心あたりの伝送容量を増大させることで対応できるが、単純に多重したのでは、伝送容量増加に伴う伝送装置の著しいコスト増が発生する。
【０００７】
モバイル通信事業においては、自前の加入者光ファイバを準備可能なエリアは限られているため、一般的には、ダークファイバと呼ばれるファイバ借用により伝送路を形成する。
このため、伝送装置コストの増加は、借用ダークファイバの削減コストとトレードオフとなり、１０Ｇｂ／ｓを超える伝送容量では、外部変調を用いた高価な光伝送系を構築する必要があるという問題があった。
【０００８】
すなわち、従来、ＣＰＲＩ伝送では、ＯＰ３（ＣＰＲＩ規格のオプション３で伝送レートが２．４５７Ｇｂ／ｓ）×６セクタが主流となっているが、汎用的な時分割多重方式を採用した場合には、ＯＴＵ２×２系統（ＯＴＵ２あたり４セクタ多重）を時分割多重し、波長多重を用いて１心４波長（送受２波長）で伝送することになる。この際、各波長あたりの伝送速度が１０Ｇｂ／ｓを越えるため、２０ｋｍを超えるような伝送距離では、光伝送方式として、高価な外部変調方式を採用する必要があり、ダークファイバコストに対するコストメリットが見出しにくい状況であった。
【０００９】
この発明は上記のような課題を解決するためになされたもので、低コストで伝送容量増を図ることのできる光伝送装置を得ることを目的とする。
【課題を解決するための手段】
【００１０】
この発明に係る光伝送装置は、基地局とアンテナ設置局間のＣＰＲＩ伝送を行う光伝送装置であって、ＣＰＲＩ  ＯＰ３信号を３セクタ分電気信号として時分割多重すると共に、３セクタ分を収容するフレームフォーマットの信号を生成する信号多重部と、信号多重部から出力された電気信号を光信号に変換する光信号送信部と、フレームフォーマットの光信号を受信し、電気信号に変換する光信号受信部と、光信号受信部で変換された電気信号から３セクタのＣＰＲＩ  ＯＰ３信号を取り出す信号分離部とを備えたものである。
【発明の効果】
【００１１】
この発明の光伝送装置は、ＣＰＲＩ  ＯＰ３信号を３セクタ分電気信号として時分割多重すると共に、この３セクタ分を収容するフレームフォーマットの信号を生成してＣＰＲＩ伝送を行うようにしたので、ダークファイバの利用に関するコスト増を抑え、低コストで伝送容量増を図ることができる。
【図面の簡単な説明】
【００１２】
【図１】この発明の実施の形態１による光伝送装置を適用したＣＰＲＩ多重伝送装置を示す構成図である。
【図２】この発明の実施の形態１による光伝送装置で用いるフレームフォーマットの一例を示す説明図である。
【図３】この発明の実施の形態２による光伝送装置を適用したＣＰＲＩ多重伝送装置を示す構成図である。
【図４】この発明の実施の形態２による光伝送装置で用いるフレームフォーマットの一例を示す説明図である。
【図５】この発明の実施の形態３による光伝送装置を適用したＣＰＲＩ多重伝送装置を示す構成図である。
【図６】この発明の実施の形態４による光伝送装置を適用したＣＰＲＩ多重伝送装置を示す構成図である。
【図７】この発明の実施の形態５による光伝送装置を適用したＣＰＲＩ多重伝送装置を示す構成図である。
【発明を実施するための形態】
【００１３】
実施の形態１．
図１は、この発明の実施の形態１による光伝送装置を適用したＣＰＲＩ多重伝送装置の構成図である。
図示のＣＰＲＩ多重伝送装置は、基地局装置（ＢＢＵ）１ａとアンテナ設置局（ＲＲＨ）１ｂから構成され、基地局装置１ａとアンテナ設置局１ｂは１本の光ファイバで接続され、１心で信号伝送を行っている。また、基地局装置１ａとアンテナ設置局１ｂとは同じブロック構成となっており、後述する送信部１０−１〜１０−４の送信波長の違いにより分類される。
【００１４】
基地局装置１ａは、送信部１０−１，１０−２、受信部１１−３，１１−４、波長多重合波／分波部（ＷＤＭ）１２、監視制御部１３を備えており、アンテナ設置局１ｂは、送信部１０−３，１０−４、受信部１１−１，１１−２、波長多重合波／分波部（ＷＤＭ）１２、監視制御部１３を備えている。
【００１５】
送信部１０−１〜１０−４は、ＣＰＲＩ信号送受信器（ＣＰＲＩ＿ＳＦＰ）１０１、スタッフビット挿入部１０２ａ、電気多重部（ＭＵＸ）１０３ａ、光信号送信部（Ｏｐｔ−Ｔｘ）１０４ａを備えている。ＣＰＲＩ信号送受信器１０１は３ポートが設けられ、それぞれのポートが１セクタに対応している。スタッフビット挿入部１０２ａは、スタッフビットの挿入を行う処理部である。電気多重部１０３ａは、スタッフビット挿入部１０２ａからの３信号をバイト多重する処理部である。光信号送信部１０４ａは、入力された電気信号を光信号に変換する直接変調方式の光送信部である。なお、アンテナ設置局１ｂにおける送信部１０−３，１０−４の構成は送信部１０−１，１０−２と同様であるため、その内部構成については図示を省略している。また、ＣＰＲＩ信号送受信器１０１〜電気多重部１０３ａで、ＣＰＲＩ  ＯＰ３信号を３セクタ分電気信号として時分割多重すると共に、この３セクタ分を収容するフレームフォーマットの信号を生成する信号多重部が構成されている。
【００１６】
受信部１１−１〜１１−４は、ＣＰＲＩ信号送受信器（ＣＰＲＩ＿ＳＦＰ）１０１、スタッフビット抜去部１０２ｂ、電気分離部（ＤＥＭＵＸ）１０３ｂ、光信号受信部（Ｏｐｔ−Ｒｘ）１０４ｂを備えている。ＣＰＲＩ信号送受信器１０１は、送信部１０−１〜１０−４のＣＰＲＩ信号送受信器１０１と同様にＣＰＲＩ信号の送受信器であり、３ポートが設けられ、スタッフビット抜去部１０２ｂから出力された電気信号を光信号として出力する。スタッフビット抜去部１０２ｂは、スタッフビット挿入部１０２ａの逆動作を行う処理部であり、電気分離部１０３ｂで分離されたそれぞれの電気信号からスタッフビットを抜き去ってＣＰＲＩ信号送受信器１０１に出力する。光信号受信部１０４ｂは、入力した光信号を電気信号に変換する処理部である。なお、基地局装置１ａにおける受信部１１−３，１１−４の構成は受信部１１−１，１１−２と同様であるため、その内部構成については図示を省略している。また、受信部１１−１〜１１−４における電気分離部１０３ｂ〜ＣＰＲＩ信号送受信器１０１によって、光信号受信部１０４ｂで変換された電気信号から３セクタのＣＰＲＩ  ＯＰ３信号を取り出す信号分離部が構成されている。
【００１７】
波長多重合波／分波部１２は、送信部１０−１〜１０−４からの光信号を光多重して伝送路に出力すると共に、伝送路からの光信号を光分離して受信部１１−１〜１１−４に出力する処理部である。監視制御部１３は、自装置内の警報・制御情報を検出すると共に、対向局に対してこの信号をインバンドで伝送するための制御部である。
【００１８】
次に、実施の形態１のＣＰＲＩ多重伝送装置の動作について説明する。
まず、送信部１０−１〜１０−４では、基地局装置１ａのクライアントインタフェースであるＣＰＲＩ信号送受信器１０１にＣＰＲＩ  ＯＰ３の光信号が入力される。ＣＰＲＩ信号送受信器１０１では、光信号を終端した後、スタッフビット挿入部１０２ａに対して出力する。スタッフビット挿入部１０２ａでは、３ポートのＣＰＲＩ信号送受信器１０１より入力された信号に対し、基準クロックとの差分をモニタし、正／負スタッフビットの挿入を行うことで、クロック誤差を吸収する。電気多重部１０３ａでは、クロック同期のとれた３信号をバイト多重し、図２にその一例を示す独自フレームを付与し、光信号送信部１０４ａに送出する。すなわち、送信部１０−１〜１０−４では、ＣＰＲＩ信号をチャネル毎に非同期多重し、さらに、バイト同期を行って独自フレームに収容する。
【００１９】
また、図２中のオーバヘッド（ＯＨ）におけるＦＡＳ（Ｆｒａｍｅ  Ａｌｉｇｎｍｅｎｔ  Ｓｉｇｎａｌ）はフレームアライメント信号、ＭＦＡＳ（ＭｕｌｔｉＦｒａｍｅ  Ａｌｉｇｎｍｅｎｔ  Ｓｉｇｎａｌ）はマルチフレームアライメント信号、ＳＭ（Ｓｅｃｔｉｏｎ  Ｍｏｎｉｔｏｒｉｎｇ）はセクションモニタリングを示す。また、ＧＣＣ（Ｇｅｎｅｒａｌ  Ｃｏｍｍｕｎｉｃａｔｉｏｎ  Ｃｈａｎｎｅｌ）は汎用通信チャネルであるが、本発明では監視制御に用いている。さらに、ＦＴＦＬ（Ｆａｕｌｔ  Ｔｙｐｅ  ＆  Ｆａｕｌｔ  Ｌｏｃａｔｉｏｎ  ｒｅｐｏｒｔｉｎｇ  ｃｈａｎｎｅｌ）は障害タイプおよび障害場所を示すチャネル、ＪＣは調整コントロールであり、ＮＪＯはネガティブ調整機会、ＰＪＯはポジティブ調整機会である。
【００２０】
光信号送信部１０４ａでは、入力された電気信号を光信号に変換する。この光信号は波長多重合波／分波部１２で合成された後、伝送路である光ファイバに送出される。なお、電気／光変換は、直接変調方式を用いて実施され、かつ、電気／光変換素子は、波長多重伝送に任意の波長のものを使用する。
【００２１】
伝送路を経由してアンテナ設置局１ｂに到達した光信号は、波長多重合波／分波部１２で各波長に分離され、受信部１１−１，１１−２に入力される。光信号受信部１０４ｂでは、光／電気変換を実施した後、電気分離部１０３ｂでフレーム同期を取り、３ポートのＣＰＲＩ信号に分離する。分離された信号はスタッフビット抜去部１０２ｂで挿入された正／負デスタッフビットを抜去した後、ＣＰＲＩ信号送受信器１０１に入力される。ＣＰＲＩ信号送受信器１０１では、電気信号を光信号に変換後、アンテナ装置（図示省略）に送出する。
【００２２】
なお、アンテナ設置局１ｂから基地局装置１ａへの信号伝送も上述した説明と同様に伝送される。
【００２３】
監視制御部１３では、自装置内の警報・制御情報を検出するとともに、対向局に対してこの信号をインバンドで伝送する。この信号は、電気多重部１０３ａで、図２に示すフレームのＧＣＣバイトに挿入され、対向局に伝送される。また、受信局では、電気分離部１０３ｂにて、ＧＣＣバイトから信号を取り出し、監視制御で処理される。
【００２４】
このように、実施の形態１では、独自のフレームを用いてＯｐ３信号を３セクタ時分割多重し、波長多重を用いて１心４波長（送受２波長）で伝送する。この独自フレームを採用することにより、各波長あたりの伝送速度を８Ｇｂ／ｓ以下に抑えることができ、ＰＯＮ等に採用されている廉価な直接変調方式が採用可能となるため、経済的なＣＰＲＩ伝送が実現可能となる。
【００２５】
以上説明したように、実施の形態１の光伝送装置によれば、基地局とアンテナ設置局間のＣＰＲＩ伝送を行う光伝送装置であって、ＣＰＲＩ  ＯＰ３信号を３セクタ分電気信号として時分割多重すると共に、３セクタ分を収容するフレームフォーマットの信号を生成する信号多重部と、信号多重部から出力された電気信号を光信号に変換する光信号送信部と、フレームフォーマットの光信号を受信し、電気信号に変換する光信号受信部と、光信号受信部で変換された電気信号から３セクタのＣＰＲＩ  ＯＰ３信号を取り出す信号分離部とを備えたので、経済的な直接変調方式による光伝送が可能となり、ダークファイバを信号数分だけ使用するよりも経済的なシステムを構成することができる。
【００２６】
実施の形態２．
図３は、実施の形態２の光伝送装置を適用したＣＰＲＩ多重伝送装置の構成図である。
図示のＣＰＲＩ多重伝送装置は、基地局装置１ｃとアンテナ設置局１ｄからなり、それぞれの送信部１０−１〜１０−４と受信部１１−１〜１１−４で、誤り訂正符号挿入部（ＦＥＣ）１０５ａと誤り訂正符号分離部（ＦＥＣ）１０５ｂを備えているのが実施の形態１とは異なる点である。すなわち、送信部１０−１〜１０−４では、電気多重部１０３ａと光信号送信部１０４ａとの間に誤り訂正符号挿入部１０５ａが実装され、受信部１１−１〜１１−４では、光信号受信部１０４ｂと電気分離部１０３ｂとの間に誤り訂正符号分離部１０５ｂが実装されている。これら誤り訂正符号挿入部１０５ａおよび誤り訂正符号分離部１０５ｂは、ＦＥＣ（誤り訂正符号）信号を挿入および分離する回路である。なお、これ以外の構成については図１に示した実施の形態１と同様であるため、対応する部分に同一符号を付してその説明を省略する。
【００２７】
次に、実施の形態２の光伝送装置の動作について説明する。なお、送信部１０−１〜１０−４および受信部１１−１〜１１−４における各部の動作は実施の形態１と同様であるため、誤り訂正符号挿入部１０５ａと誤り訂正符号分離部１０５ｂの動作を中心に説明する。
先ず、送信部１０−１〜１０−４では、電気多重部１０３ａで多重された電気信号に対して、誤り訂正符号挿入部１０５ａが図４に示すようにＦＥＣ（誤り訂正符号）信号を挿入する。一方、対向の受信側の受信部１１−１〜１１−４では、誤り訂正符号分離部１０５ｂは、光信号受信部１０４ｂで分離された電気信号から、挿入されたＦＥＣ信号を演算、抜去することで、多重されたＣＰＲＩ信号の誤り訂正を実施する。
【００２８】
このように、実施の形態２では、誤り訂正符号挿入部１０５ａおよび誤り訂正符号分離部１０５ｂを追加することで、実施の形態１におけるＣＰＲＩ多重伝送装置より長距離の光ファイバ伝送が可能となる。なお、この伝送距離の延伸は、誤り訂正符号挿入部１０５ａおよび誤り訂正符号分離部１０５ｂの挿入ビットのパーセンテージに依存して決定される。
【００２９】
以上説明したように実施の形態２の光伝送装置によれば、基地局とアンテナ設置局間のＣＰＲＩ伝送を行う光伝送装置であって、ＣＰＲＩ  ＯＰ３信号を３セクタ分電気信号として時分割多重すると共に、３セクタ分を収容するフレームフォーマットの信号を生成する信号多重部と、信号多重部で生成された信号に対して誤り訂正符号を付与する誤り訂正符号挿入部と、誤り訂正符号挿入部から出力された電気信号を光信号に変換する光信号送信部と、フレームフォーマットの光信号を受信し、電気信号に変換する光信号受信部と、光信号受信部から出力された信号に対し、誤り訂正符号に基づいて誤り訂正を行う誤り訂正符号分離部と、誤り訂正符号分離部から出力された電気信号から３セクタのＣＰＲＩ  ＯＰ３信号を取り出す信号分離部とを備えたので、さらに長距離の光ファイバ伝送を可能とすることができる。
【００３０】
実施の形態３．
図５は、実施の形態３の光伝送装置を適用したＣＰＲＩ多重伝送装置の構成図である。
図示のＣＰＲＩ多重伝送装置は、基地局装置１ｅとアンテナ設置局１ｆからなり、それぞれの送信部１０−１〜１０−４でスタッフビット挿入部１０２ａに代わってビットバッファ部（バッファ）１０６が実装され、それぞれの受信部１１−１〜１１−４でスタッフビット抜去部１０２ｂを削除したのが実施の形態１とは異なる点である。これ以外のＣＰＲＩ信号送受信器１０１、電気多重部１０３ａ、光信号送信部１０４ａと光信号受信部１０４ｂ、電気分離部１０３ｂの構成については実施の形態１と同様である。
【００３１】
これは、３ポート分のＣＰＲＩ信号の周波数同期が取れているシステムの構成であり、ビットバッファ部１０６は、周波数同期されたＣＰＲＩ信号を蓄積する。このような構成により、回路規模の削減が可能となる。なお、図５の例は実施の形態１の構成に対して適用したものであるが、実施の形態２の構成に対して適用しても同様の効果を得ることができる。
【００３２】
以上説明したように、実施の形態３の光伝送装置によれば、信号多重部は、周波数同期されたＣＰＲＩ信号を一時的に蓄積するバッファと、バッファからの信号を多重する電気多重部を備えたので、周波数同期されたＣＰＲＩ信号を入力する場合の回路規模の削減を可能とすることができる。
【００３３】
実施の形態４．
図６は、実施の形態４の光伝送装置を適用したＣＰＲＩ多重伝送装置の構成図である。
図示のＣＰＲＩ多重伝送装置は、基地局装置１ｇとアンテナ設置局１ｈからなり、それぞれが、電気多重部１０３ａで用いられる多重クロックの基準を選択する送信クロック源選択部（ＣＬＫ＿ＳＥＬ）１４を実装したことが実施の形態１とは異なる点である。その他の構成については実施の形態１と同様であるため、対応する部分に同一符号を付してその説明を省略する。なお、アンテナ設置局１ｈ内での送信クロック源選択部１４の図示は省略している。
【００３４】
クロック基準としては、外部からの同期クロック従属、クライアントＣＰＲＩ信号への従属、自走クロックから選択するのが一般的であり、送信クロック源選択部１４では、自立若しくは外部からの制御により基準クロックを選択する。これにより、電気多重部１０３ａでは、送信クロック源選択部１４で選択されたクロック基準で多重処理を行う。
【００３５】
なお、図６の例は実施の形態１の構成に対して適用したものであるが、実施の形態２の構成に対して適用しても同様の効果を得ることができる。
【００３６】
以上説明したように、実施の形態４の光伝送装置によれば、信号多重部で用いる多重クロックの基準を選択する送信クロック源選択部を備えたので、信号多重部における送信クロックを任意に決定することができる。
【００３７】
実施の形態５．
図７は、実施の形態５の光伝送装置を適用したＣＰＲＩ多重伝送装置の構成図である。
図示のＣＰＲＩ多重伝送装置は、基地局装置１ｉとアンテナ設置局１ｊからなり、それぞれが、電気多重部１０３ａで用いられる多重クロックの基準を選択する送信クロック源選択部（ＣＬＫ＿ＳＥＬ）１５を実装したことが実施の形態３とは異なる点である。その他の構成については図５に示した実施の形態３と同様であるため、対応する部分に同一符号を付してその説明を省略する。なお、アンテナ設置局１ｊ内での送信クロック源選択部１５の図示は省略している。
【００３８】
クロック基準としては、外部からの同期クロック従属、クライアントＣＰＲＩ信号への従属から選択可能であり、送信クロック源選択部１５では、自立若しくは外部からの制御により基準クロックを選択する。これにより、電気多重部１０３ａでは、送信クロック源選択部１５で選択されたクロック基準で多重処理を行う。
【００３９】
以上説明したように、実施の形態５の光伝送装置によれば、信号多重部で用いる多重クロックの基準を選択する送信クロック源選択部を備えたので、信号多重部における送信クロックを任意に決定することができる。
【００４０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４１】
１ａ，１ｃ，１ｅ，１ｇ，１ｉ  基地局装置、１ｂ，１ｄ，１ｆ，１ｈ，１ｊ  アンテナ設置局、１０−１〜１０−４  送信部、１１−１〜１１−４  受信部、１２  波長多重合波／分波部（ＷＤＭ）、１３  監視制御部、１４，１５  送信クロック源選択部（ＣＬＫ＿ＳＥＬ）、１０１  ＣＰＲＩ信号送受信器（ＣＰＲＩ＿ＳＦＰ）、１０２ａ  スタッフビット挿入部、１０２ｂ  スタッフビット抜去部、１０３ａ  電気多重部（ＭＵＸ）、１０３ｂ  電気分離部（ＤＥＭＵＸ）、１０４ａ  光信号送信部（Ｏｐｔ−Ｔｘ）、１０４ｂ  光信号受信部（Ｏｐｔ−Ｒｘ）、１０５ａ  誤り訂正符号挿入部（ＦＥＣ）、１０５ｂ  誤り訂正符号分離部（ＦＥＣ）、１０６  ビットバッファ部。
【図１】
2015080022.tif 000003
【図２】
2015080022.tif 000004
【図３】
2015080022.tif 000005
【図４】
2015080022.tif 000006
【図５】
2015080022.tif 000007
【図６】
2015080022.tif 000008
【図７】
2015080022.tif 000009